(57)【要約】      （修正有）【課題】暖房運転開始時の冷風感を防止して快適性を向上させ、且つ、暖房の立ち上がり性を向上させる空気調和装置を提供する。【解決手段】室内熱交換器温度Ｔｃが第１の所定温度Ｔｃｓ１以上となったら冷風防止運転を解除するものにおいて、第１の所定温度Ｔｃｓ１の下限値よりも低い第２の所定温度Ｔｃｓ２以上となったら、室内熱交換器温度Ｔｃの単位時間当たりの増加量αを算出し、増加量αに基づいて第１の所定温度Ｔｃｓ１の温度を設定する。【選択図】図３
2016156598.tif 000002
【特許請求の範囲】
【請求項１】
室内熱交換器と、室内ファンを備えた室内機と、
前記室内熱交換器の温度を検出する室内熱交換器温度検出手段と、
前記室内ファンを制御する制御手段を備えた空気調和装置であって、
前記制御手段は、
前記室内熱交換器温度検出手段の検出値を記憶する記憶手段を有し、
前記空気調和装置の暖房運転起動時に前記圧縮機の起動と同時に前記室内ファンを第１の回転数で運転し、
前記圧縮機を起動した後、前記室内熱交換器温度検出手段の検出値が第１の所定温度以上となったら、前記室内ファンを前記第１の回転数よりも大きい第２の回転数で運転するものにおいて、
前記室内熱交換器温度検出手段の検出値が前記第１の所定温度の下限値よりも低い予め定められた第２の所定温度となったら、現在の前記室内熱交換器温度検出手段の検出値と、前記記憶手段に記憶された所定時間前の前記室内熱交換器温度検出手段の検出値から、前記室内熱交換器温度検出手段の検出値の単位時間当たりの増加量を算出し、
前記増加量に応じて前記第１の所定温度を変化させることを特徴とする空気調和装置。
【請求項２】
前記第１の所定温度は、前記増加量が大きければ大きい程低い方向へ変化させることを特徴とする請求項１に記載の空気調和装置。
【発明の詳細な説明】
【技術分野】
【０００１】
本発明は空気調和装置に係り、特に、暖房運転開始時の運転制御に関するものである。
【背景技術】
【０００２】
空気調和装置の冷媒回路は、室内機に設けられた室内熱交換器と、室外機に設けられた圧縮機、室外熱交換器、冷媒の流路を切り替える四方弁、冷媒を減圧する膨張弁を有する。また、室内熱交換器及び室外熱交換器の近傍には、空気と熱交換器内を流れる冷媒との熱交換を促進させる送風機（室内ファン及び室外ファン）がそれぞれ設けられている。圧縮機、四方弁、膨張弁、室内ファン、室外ファンは制御部によって各種運転状況に応じて制御される。
【０００３】
圧縮機は、停止状態から室内機からの運転指令を受けて起動し、圧縮機から吐出された冷媒は四方弁を通り、暖房時は室内熱交換器で凝縮し、膨張弁を通過することで減圧され、室内熱交換器で蒸発して圧縮機へ戻る。冷房時は四方弁を切り替えて冷媒の流れる方向を暖房時と反転させるので、圧縮機から吐出された冷媒は四方弁を通り、室外熱交換器で凝縮し、膨張弁で減圧され、室外熱交換器で蒸発して圧縮機に戻る。
【０００４】
空気調和装置を停止状態から暖房運転開始させる際は、圧縮機、室内ファン、室外ファンを動作させて、室内熱交換器の温度を早く上昇させたい。しかし、室内熱交換器の温度が低い状態で室内ファンを動作させると、室内機から温まっていない室温に近い風が吹き出されるため、使用者が肌寒く感じて（冷風感）快適性が損なわれる。
【０００５】
そのため、従来の空気調和装置として、室内熱交換器の温度を検出する室内熱交換器温度センサが設けられ、暖房運転開始時、圧縮機を起動させ、室内熱交換器温度センサの検出値が所定値以上となったら室内ファンの回転数を極低回転から低回転へ上昇させるものがある（例えば、特許文献１）。これにより、室内熱交換器の温度が十分に上昇する前に室内ファンの運転が行われることで生じる冷風の吹出しを防止し、空気調和装置の暖房運転開始時の快適性を向上させている。このような制御を冷風防止制御と呼ぶ。
【０００６】
前述の所定値（冷風防止解除温度と呼ぶ）は、室内熱交換器の温度が室内機から吹出される風によってユーザが肌寒く感じることのない程度の温度に設定されるが、一般的に室内ファンの回転数増加時の一時的な室内熱交換器温度の低下を考慮して高めの温度に設定される。
【０００７】
しかし、高外気温時など室内熱交換器温度の単位時間当たりの増加量が大きい場合は、室内ファン回転数増加時の一時的な室内熱交換器温度の低下量が少ないので、従来より冷風防止解除温度を低い温度に設定した方がより暖房の立ち上がり性を向上させることができるため、従来の冷風防止解除温度の設定方法は改善の余地がある。
【先行技術文献】
【特許文献】
【０００８】
【特許文献１】特開２００２−１７４４５０号公報
【発明の概要】
【発明が解決しようとする課題】
【０００９】
本願発明は、このような問題を解決するためになされたもので、暖房運転開始時の冷風感を防止して快適性を向上させ、且つ、暖房の立ち上がり性を向上させる空気調和装置を提供することを目的とするものである。
【課題を解決するための手段】
【００１０】
本発明の空気調和装置は、室内熱交換器と、室内ファンを備えた室内機と、前記室内熱交換器の温度を検出する室内熱交換器温度検出手段と、前記室内ファンを制御する制御手段を備えた空気調和装置であって、前記制御手段は、前記室内熱交換器温度検出手段の検出値を記憶する記憶手段を有し、前記空気調和装置の暖房運転起動時に前記圧縮機の起動と同時に前記室内ファンを第１の回転数で運転し、前記圧縮機を起動した後、前記室内熱交換器温度検出手段の検出値が第１の所定温度以上となったら、前記室内ファンを前記第１の回転数よりも大きい第２の回転数で運転するものにおいて、前記室内熱交換器温度検出手段の検出値が前記第１の所定温度の下限値よりも低い予め定められた第２の所定温度となったら、現在の前記室内熱交換器温度検出手段の検出値と、前記記憶手段に記憶された所定時間前の前記室内熱交換器温度検出手段の検出値から、前記室内熱交換器温度検出手段の検出値の単位時間当たりの増加量を算出し、前記増加量に応じて前記第１の所定温度を変化させることを特徴としている。
【００１１】
また、好ましくは、前記第１の所定温度は、前記増加量が大きければ大きい程低い方向へ変化させる。
【発明の効果】
【００１２】
本発明によれば、暖房運転開始時の冷風感を防止して快適性を向上させ、且つ、暖房の立ち上がり時間を短縮させることができる。
【図面の簡単な説明】
【００１３】
【図１】本実施形態の空気調和装置の冷凍サイクル全体を示す概略図である。
【図２】本発明を実施しない場合の空気調和装置の室内ファン回転数と室内熱交換器温度の変化を示す図である。
【図３】本発明の空気調和装置の制御方法を示すフローチャートである。
【図４】本発明の空気調和装置の室内熱交換器温度の変化を示す図である。
【図５】本発明の空気調和装置の室内熱交換器温度の増加量に応じて定められた第１の所定温度のテーブルを示す図である。
【図６】本発明の空気調和装置の制御方法と従来の制御方法の室内熱交換器温度の変化を比較した図である。
【発明を実施するための形態】
【００１４】
以下、本発明の実施の形態を、添付図面に基づいて詳細に説明する。尚、本発明は以下の実施形態に限定されることはなく、本発明の主旨を逸脱しない範囲で種々変形することが可能である。
【００１５】
図１（Ａ）に示すように、第１実施例における空気調和装置１は、屋外に設置される室外機２と、室外機２に液管４およびガス管５で接続された室内機３とを備えている。詳細には、液管４は、一端が室外機２の閉鎖弁２５に、他端が室内機３の液管接続部３４に接続されている。また、ガス管５は、一端が室外機２の閉鎖弁２６に、他端が室内機３のガス管接続部３５に接続されている。以上により、空気調和装置１の冷媒回路１０が構成されている。
【００１６】
まずは、室外機２について説明する。室外機２は、圧縮機２０と、四方弁２２と、室外熱交換器２３と、液管４の一端が接続された閉鎖弁２５と、ガス管５の一端が接続された閉鎖弁２６と、アキュムレータ２１と、室外ファン２４とを備えている。そして、室外ファン２４を除くこれら各装置が以下で詳述する各冷媒配管で相互に接続されて、冷媒回路１０の一部をなす室外機冷媒回路１０ａを構成している。
【００１７】
圧縮機２０は、図示しないインバータにより回転数が制御されるモータ２０１によって駆動されることで、運転能力を可変できる能力可変型圧縮機である。圧縮機２０の冷媒吐出側は、四方弁２２のポートａに吐出管６１で接続されており、また、圧縮機２０の冷媒吸入側は、アキュムレータ２１の冷媒流出側に吸入管６６で接続されている。
【００１８】
四方弁２２は、冷媒の流れる方向を切り換えるための弁であり、ａ、ｂ、ｃ、ｄの４つのポートを備えている。ポートａは、上述したように圧縮機２０の冷媒吐出側に吐出管６１で接続されている。ポートｂは、室外熱交換器２３の一方の冷媒出入口と冷媒配管６２で接続されている。ポートｃは、アキュムレータ２１の冷媒流入側と冷媒配管６５で接続されている。そして、ポートｄは、閉鎖弁２６と室外機ガス管６４で接続されている。
【００１９】
室外熱交換器２３は、冷媒と、後述する室外ファン２４の回転により室外機２の内部に取り込まれた外気とを熱交換させるものである。室外熱交換器２３の一方の冷媒出入口は、上述したように四方弁２２のポートｂに冷媒配管６２で接続され、他方の冷媒出入口は室外機液管６３で閉鎖弁２５に接続されている。
【００２０】
膨張弁２７は、室外機液管６３に設けられている。膨張弁２７は電子膨張弁である。膨張弁２７の開度制御の詳細な説明は、後述する。
【００２１】
室外ファン２４は樹脂材で形成されており、室外熱交換器２３の近傍に配置されている。室外ファン２４は、図示しないファンモータによって回転することで図示しない吸込口から室外機２の内部へ外気を取り込み、室外熱交換器２３において冷媒と熱交換した外気を図示しない吹出口から室外機２の外部へ放出する。
【００２２】
アキュムレータ２１は、上述したように、冷媒流入側が四方弁２２のポートｃと冷媒配管６５で接続され、冷媒流出側が圧縮機２０の冷媒吸入側と吸入管６６で接続されている。アキュムレータ２１は、冷媒配管６５からアキュムレータ２１内部に流入した冷媒をガス冷媒と液冷媒とに分離してガス冷媒のみを圧縮機２０に吸入させる。
【００２３】
以上説明した構成の他に、室外機２には各種のセンサが設けられている。図１（Ａ）に示すように、吐出管６１には、圧縮機２０から吐出される冷媒の温度を検出する吐出温度センサ７３が設けられている。
【００２４】
室外熱交換器２３には、室外熱交換器２３から流出、または、室外熱交換器２３に流入する冷媒の温度を検知するための室外熱交換器温度センサ７５が設けられている。そして、室外機２の図示しない吸込口付近には、室外機２の内部に流入する外気の温度、すなわち外気温度を検出する外気温度センサ７６が備えられている。
【００２５】
また、室外機２には、室外機制御手段１００が備えられている。室外機制御手段１００は、室外機２の図示しない電装品箱に格納されている制御基板に搭載されている。図１（Ｂ）に示すように、室外機制御手段１００は、ＣＰＵ１１０と、記憶部１２０と、通信部１３０と、検出値入力部１４０と、圧縮機制御部１５０とを備えている。
【００２６】
記憶部１２０は、ＲＯＭやＲＡＭで構成されており、室外機２の制御プログラムや各種センサからの検出信号に対応した検出値、圧縮機２０や室外ファン２４の制御状態等を記憶している。通信部１３０は、室内機３との通信を行うためのインターフェイスである。検出値入力部１４０は、室外機２の各種センサでの検出結果を取り込んでＣＰＵ１１０に出力する。圧縮機制御部１５０は、圧縮機２０に対してユーザに要求された能力を発揮するために必要な回転数で運転するように制御を行う。
【００２７】
ＣＰＵ１１０は、前述した室外機２の各種センサでの検出結果を検出値入力部１４０を介して取り込む。また、ＣＰＵ１１０は、室内機３から送信される制御信号を通信部１３０を介して取り込む。また、ＣＰＵ１１０は、取り込んだ制御信号に基づいて、圧縮機２０や室外ファン２４の駆動制御を行う。さらには、ＣＰＵ１１０は、取り込んだ検出結果や制御信号に基づいて、四方弁２２の切り換え制御を行う。
【００２８】
次に、図１（Ａ）を用いて、室内機３について説明する。室内機３は、室内熱交換器３１と、液管４の他端が接続された液管接続部３４と、ガス管５の他端が接続されたガス管接続部３５と、室内ファン３３とを備えている。そして、室内ファン３３を除くこれら各装置が以下で詳述する各冷媒配管で相互に接続されて、冷媒回路１０の一部をなす室内機冷媒回路１０ｂを構成している。
【００２９】
室内熱交換器３１は、冷媒と後述する室内ファン３３により図示しない吸込口から室内機３の内部に取り込まれた室内空気とを熱交換させるものであり、一方の冷媒出入口が液管接続部３４に室内機液管６８で接続され、他方の冷媒出入口がガス管接続部３５に室内機ガス管６９で接続されている。室内熱交換器３１は、室内機３が冷房運転を行う場合は蒸発器として機能し、室内機３が暖房運転を行う場合は凝縮器として機能する。尚、液管接続部３４やガス管接続部３５では、各冷媒配管が溶接やフレアナット等により接続されている。
【００３０】
室内ファン３３は、室内熱交換器３１の近傍に配置され、図示しないファンモータによって回転することで、図示しない吸込口から室内機３の内部に室内空気を取り込み、室内熱交換器３１において冷媒と熱交換した室内空気を図示しない吹出口から室内へ吹き出す。
【００３１】
以上説明した構成の他に、室内機３には各種のセンサが設けられている。室内熱交換器３１には、室内熱交換器３１を通過する冷媒の温度を検出する室内熱交換器温度センサ７８が設けられている。そして、室内機３には室内空気の温度、すなわち室内温度を検出する室内温度センサ７９が備えられている。室内温度センサ７９の取付位置は、室内機３内部に備える室内熱交換器３１や制御基板（室内機制御手段２００）等の発熱部品から離して配置することが好ましい。また、室内機３に取付ける替わりに図示しないリモコンに取付けてもよい。
【００３２】
また、室内機３には、室内機制御手段２００が備えられている。室内機制御手段２００は、室内機３の図示しない電装品箱に格納されている制御基板に搭載されている。図１（Ｂ）に示すように、室内機制御手段２００は、ＣＰＵ２１０と、記憶部２２０と、通信部２３０と、検出値入力部２４０と、室内ファン制御部２５０とを備えている。
【００３３】
記憶部２２０は、ＲＯＭやＲＡＭで構成されており、室内機３の制御プログラムや各種センサからの検出信号に対応した検出値、室内ファン３３の制御状態等を記憶している。通信部２３０は、室外機２との通信を行うためのインターフェイスである。検出値入力部２４０は、室内機３の各種センサでの検出結果を取り込んでＣＰＵ２１０に出力する。室内ファン制御部２５０は、室内ファン３３に対してユーザに要求された能力を発揮するために必要な回転数で運転するように制御を行う他、後述する冷風防止制御を行う。
【００３４】
ＣＰＵ２１０は、前述した室内機３の各種センサでの検出結果を検出値入力部２４０を介して取り込む。また、ＣＰＵ２１０は、室外機２から送信される制御信号を通信部２３０を介して取り込む。また、ＣＰＵ２１０は、取り込んだ制御信号に基づいて、室内ファン３３の駆動制御を行う。
【００３５】
次に、本実施形態における空気調和装置１の空調運転時の冷媒回路１０における冷媒の流れや各部の動作について、図１（Ａ）を用いて説明する。尚、以下の説明では、室内機３が暖房運転を行う場合について説明し、冷房運転を行う場合については詳細な説明を省略する。また、図１（Ａ）における矢印は暖房運転時の冷媒の流れを示している。
【００３６】
図１（Ａ）に示すように、室内機３が暖房運転を行う場合、室外機制御手段１００は、四方弁２２を実線で示す状態、すなわち、四方弁２２のポートａとポートｄとが連通するよう、また、ポートｂとポートｃとが連通するよう、切り換える。これにより、室外熱交換器２３が蒸発器として機能するとともに、室内熱交換器３１が凝縮器として機能する。
【００３７】
圧縮機２０から吐出された高圧の冷媒は、吐出管６１を流れて四方弁２２に流入し、四方弁２２から室外機ガス管６４を流れて閉鎖弁２６を介してガス管５に流入する。ガス管５を流れた冷媒はガス管接続部３５を介して室内機３の室内機ガス管６９に流入する。室内機ガス管６９を流れる冷媒は、室内熱交換器３１に流入し、室内ファン３３の回転により室内機３の内部に取り込まれた室内空気と熱交換を行って凝縮する。このように、室内熱交換器３１が凝縮器として機能し、室内熱交換器３１で冷媒と熱交換を行い加熱された室内空気が図示しない吹出口から室内に吹き出されることによって、室内機３が設置された室内の暖房が行われる。室内熱交換器３１から流出した冷媒は室内機液管６８を流れ、液管接続部３４を介して液管４に流入する。
【００３８】
液管４を流れて閉鎖弁２５を介して室外機２に流入した冷媒は、室外機液管６３に設けられた膨張弁２７に流入する。膨張弁２７を通過した冷媒は、減圧されて低圧の冷媒となる。膨張弁２７を通過した冷媒はその後、室外熱交換器２３に流入する。室外熱交換器２３に流入した冷媒は、室外ファン２４の回転により室外機２の内部に取り込まれた外気と熱交換を行って蒸発する。室外熱交換器２３から流出した冷媒は、順に冷媒配管６２、四方弁２２、冷媒配管６５、アキュムレータ２１、吸入管６６を流れ、圧縮機２０に吸入されて再び圧縮される。以上説明したように冷媒回路１０を冷媒が循環することで、空気調和装置１の暖房運転が行われる。
【００３９】
なお、室内機３が冷房運転を行う場合、室外機制御手段１００は、四方弁２２が破線で示す状態、すなわち、四方弁２２のポートａとポートｂとが連通するよう、また、ポートｃとポートｄとが連通するよう、切り換える。これにより、室外熱交換器２３が凝縮器として機能するとともに、室内熱交換器３１が蒸発器として機能する。
【００４０】
次に、空気調和装置１の暖房運転開始時における従来の制御方法について図２を用いて詳細に説明する。
【００４１】
空気調和装置１は、使用者のリモコン操作等によって暖房運転開始指令を受けると、冷媒回路１０内に冷媒を循環させるために圧縮機２０を起動させる。
【００４２】
圧縮機２０を起動させた後、室内熱交換器３１の温度Ｔｃが所定の温度Ｔｃｓとなるまで、室内ファン３３の回転数Ｎを極低回転Ｎ１で運転させる冷風防止制御を行っている。圧縮機２０を起動させた直後から室内ファン３３を運転させている理由は、室内の空気を循環させて室内温度を正確に検出するためであるが、まだ室内熱交換器３１が温まっていないのにも関わらず室内ファン３３を高回転で運転させると、室内機３の吹出口（図示しない）から室内温度に近い冷風が吹出され、ユーザが肌寒く感じてしまう。したがって、極低回転Ｎ１は、室内ファン３３を運転させても室内機３の図示しない吹出口から吹出される風がユーザに届かない程度の低回転としている。図２（ｂ）に示すように、圧縮機２０の起動後、室内熱交換器温度Ｔｃは増加していき、室内熱交換器温度Ｔｃが所定値Ｔｃｓとなったら、室内ファン３３の回転数を極低回転Ｎ１からユーザに要求された能力に応じた回転数（ここではＮ２）に増加する（冷風防止制御の解除）。
【００４３】
また、圧縮機２０は起動後に低い回転数から室内機制御部２００から要求された能力を発揮するために必要な回転数（暖房運転起動時はおおよそ最大回転数）へ徐々に増加していくように制御される。これは、圧縮機２０の回転数は起動直後から最大回転数で駆動させると圧縮機２０内に溜められた冷凍機油が多く吐出されてしまい圧縮機２０の信頼性が低下してしまうからである。
【００４４】
この時の所定値Ｔｃｓ（冷風防止解除温度と呼ぶ）は、室内熱交換器温度Ｔｃが室内機３から吹出される風によってユーザが肌寒く感じることのない程度の温度に設定されるが、一般的に室内ファン３３の回転数増加時の一時的な室内熱交換器温度Ｔｃの低下を考慮して高めの温度に設定される。
【００４５】
しかし、高外気温時など室内熱交換器温度Ｔｃの単位時間当たりの増加量が大きい場合は、室内ファン３３の回転数増加時の一時的な室内熱交換器温度Ｔｃの低下量が少ない。これは、室内熱交換器３１に供給される冷媒の単位時間当たりの熱量が大きいため、室内ファン３３の回転数を上昇させたときの室内熱交換器３１が室内空気に放熱する熱量の損失分を補っているためである。そのため、一時的に室内熱交換器温度Ｔｃがユーザが肌寒く感じる温度に低下したとしてもすぐに上昇するので、従来よりも冷風防止解除温度を低い温度に設定した方がより早く暖房運転の設定温度に到達でき、暖房の立ち上がり性を向上させることができるため、従来の冷風防止解除温度の設定方法は改善の余地がある。
【００４６】
したがって、空気調和装置１の暖房運転開始時において、圧縮機２０起動後の室内ファン３３の回転数Ｎを上昇させるタイミングを適切に制御する必要がある。以下に本発明の特徴となる冷風防止制御について詳細に説明する。
【００４７】
図３は、起動時の空気調和装置１の冷風防止制御を示すフローチャートである。ＳＴの後の数字はステップの番号を、ＹはＹｅｓ、ＮはＮｏをそれぞれ表す。
【００４８】
この制御は、使用者のリモコン操作等によって暖房運転開始の指令を受けることによって開始される。まず、ステップＳＴ１０１で暖房運転を開始し、圧縮機２０を起動させる。なお、圧縮機２０は起動後低回転数から徐々に回転数を増加させる制御を行っている。続いて、ステップＳＴ１０２で室内ファン３３の回転数Ｎが第１の回転数である極低回転数Ｎ１となるように制御する。極低回転数Ｎ１は、図２に示す従来の制御方法と同様に室内ファン３３を運転させても室内機３の図示しない吹出口から吹出される風がユーザに届かない程度の低回転数であって、通常の暖房（及び冷房）運転中は使用しない回転数である。
【００４９】
ステップＳＴ１０３において、ＣＰＵ２１０は、記憶部２２０に格納された制御プログラムに従い、検出値Ｔｃが所定の温度である第２の所定温度Ｔｃｓ２以上か否かを判定する。なお、ＣＰＵ２１０は、室内熱交換器温度センサ７８から検出値Ｔｃを常時（例えば、１０秒毎）取り込み、記憶部２２０に時系列で記憶している。
【００５０】
ここで第２の所定温度Ｔｃｓ２は、後述する第１の所定温度Ｔｃｓ１の下限値よりも低い温度が設定される（例えば、３０℃）。第１の所定温度Ｔｃｓ１の下限値とは、室内熱交換器温度Ｔｃが室内機３から吹出される風によってユーザが肌寒く感じることのない程度の温度であって、室内ファン３３の回転数増加時の一時的な室内熱交換器温度Ｔｃの低下が起きても冷風感による不快感をユーザに与えない温度である。
【００５１】
ＣＰＵ２１０は、検出値Ｔｃが第２の所定温度Ｔｃｓ２以上だった場合には（ＳＴ１０３−Ｙ）、ステップＳＴ１０４へ移行し、検出値Ｔｃが第２の所定時間Ｔｃｓ２未満の場合は（ＳＴ１０３−Ｎ）、ステップＳＴ１０３に戻る。
【００５２】
ステップＳＴ１０４において、ＣＰＵ２１０は、記憶手段である記憶部２２０から時間ｔ１（例えば１分）前の室内熱交換器温度センサの検出値Ｔｃ０を読み出し、現在の室内熱交換器温度センサ７８の検出値Ｔｃ１との差から検出値Ｔｃの単位時間（ここではｔ１）当たりの室内熱交換器温度Ｔｃの増加量α（＝（Ｔｃ１−Ｔｃ０）／ｔ１）を算出する。
【００５３】
次に、ＣＰＵ２１０は算出した増加量αに基づいて図５のテーブルから増加量αに対応する第１の所定温度Ｔｃｓ１を読み出す（ステップＳＴ１０５）。図５に示すように、増加量αが大きい値であれば第１の所定温度Ｔｃｓ１を低い温度に設定し、増加量αが小さい値であれば第１の所定温度Ｔｃｓ１を高い温度に設定している。なお、第１の所定温度Ｔｃｓ１の上限値は従来の制御と同じ温度が設定され（例えば、４０℃）、第１の所定温度Ｔｃｓ１の下限値は、前述したように室内熱交換器温度Ｔｃが室内機３から吹出される風によってユーザが肌寒く感じることのない程度の温度であって、室内ファン３３の回転数増加時の一時的な室内熱交換器温度Ｔｃの低下が起きても冷風感による不快感をユーザに与えない温度である（例えば、３３℃）。
【００５４】
ステップＳＴ１０６において、ＣＰＵ２１０は、室内熱交換器温度センサ７８の検出値Ｔｃが第１の所定温度Ｔｃｓ１以上であるか否かを判定する。
検出値Ｔｃが第１の所定温度Ｔｃｓ１以上だった場合には（ＳＴ１０６−Ｙ）、冷風防止制御を解除し、室内ファン３３の回転数Ｎをユーザに要求された能力に応じた回転数に上昇させる通常運転に移行する。検出値Ｔｃが第１の所定温度Ｔｃｓ１未満の場合は（ＳＴ１０６−Ｎ）、室内ファンの回転数Ｎは現在の回転数（Ｎ１）を維持し、ステップＳＴ１０６を繰り返す。
【００５５】
以上のように、本実施形態では室内熱交換器温度Ｔｃが第１の所定温度Ｔｃｓ１以上となったら冷風防止運転を解除するものにおいて、第１の所定温度Ｔｃｓ１の下限値よりも低い第２の所定温度Ｔｃｓ２以上となったら、室内熱交換器温度Ｔｃの単位時間当たりの増加量αを算出し、増加量αに基づいて第１の所定温度Ｔｃｓ１の温度を設定するようにしている。
すなわち、図４（ａ）に示すように、室内熱交換器温度Ｔｃの単位時間当たりの増加量αが大きい値の場合は第１の所定時間Ｔｃｓ１を低い値に設定している。また、図４（ｂ）に示すように、室内熱交換器温度Ｔｃの単位時間当たりの増加量αが小さい値の場合は第１の所定時間Ｔｃｓ１を高い値に設定している。これにより、室内熱交換器温度Ｔｃの上昇度合いに応じて適切なタイミングで冷風防止制御を解除し、室内ファン３３の回転数を上昇させることができるので、暖房時に温風吹出し（空調運転）が開始されるまでの立ち上がりが早くなる。
【００５６】
図６は、本実施形態の制御方法（実線）と従来の制御方法（破線）を比較したグラフである。この例において、従来の冷風防止解除温度Ｔｃｓ１−１を４０℃としている。室内熱交換器温度Ｔｃの単位時間当たりの増加量αを算出し、増加量αが４℃／ｍｉｎである場合、図５のテーブルから本実施形態の制御方法における冷風防止解除温度Ｔｃｓ１−２は３３℃に設定される。したがって、図６（ａ）に示すように、本実施形態の制御方法では増加量αが大きい場合は従来よりも室内ファン３３の回転数Ｎが早く増加する。室内ファン３３の回転数Ｎが増加すると、室内熱交換器３１の熱交換量が増加するため、室内ファン３３の回転数Ｎ増加前（極低回転数Ｎ１時）と比べて室内熱交換器温度Ｔｃの単位時間当たりの増加量α（図６（ｂ）のグラフにおける傾き）が大きくなる。そのため、図６（ｂ）に示すように、本実施形態の制御方法は従来の制御方法に比べて室内熱交換器３１の温度Ｔｃの上昇が早くなる。
【符号の説明】
【００５７】
１  空気調和装置
２  室外機
３  室内機
２０  圧縮機
３１  室内熱交換器
３３  室内ファン
【図１】
2016156598.tif 000003
【図２】
2016156598.tif 000004
【図３】
2016156598.tif 000005
【図４】
2016156598.tif 000006
【図５】
2016156598.tif 000007
【図６】
2016156598.tif 000008